(57)【特許請求の範囲】
【請求項１】
後部の開口部を介して販売口内に搬送され、ストローが投入された後、当該販売口内に放置されたカップを廃棄するためのカップ式自動販売機のカップ廃棄装置であって、
前記カップが廃棄されるカップ廃棄用容器と、
前記カップを、前記販売口から前記開口部を介して後方に搬送し、前記カップ廃棄用容器に廃棄するためのカップ搬送機構と、
前記販売口の後部に回動自在に設けられ、前記開口部を開閉するとともに、前記カップ搬送機構による前記カップの搬送時に前記ストローで押圧されることによって後方に開放するフラップと、
を備えていることを特徴とするカップ式自動販売機のカップ廃棄装置。
【請求項２】
前記カップ搬送機構による前記カップの搬送時を除き、前記フラップを、前記開口部を閉じた状態にロックするロック機構をさらに備えていることを特徴とする請求項１に記載のカップ式自動販売機のカップ廃棄装置。
【請求項３】
ユーザに販売できなかったカップを廃棄するカップ式自動販売機のカップ廃棄装置であって、
前記カップが廃棄されるカップ廃棄用容器と、
当該カップ廃棄用容器の上方に、前記カップの幅よりも小さな間隔を互いに隔てて近接する待機位置と、カップ落下領域側のカップ離脱位置との間で回動自在に設けられた一対のストッパと、
当該一対のストッパを待機位置側にそれぞれ付勢する一対のばねと、
カップ台座を有し、前記カップが載置された前記カップ台座を、前記カップ落下領域に搬入することにより、前記カップにより前記一対のストッパをカップ離脱位置側に押し開かせながら、前記カップを前記カップ落下領域内に搬送した後、前記カップ台座を、前記カップ落下領域から搬出することにより、前記カップを、前記一対のストッパに当接させ、前記カップ台座から離脱させることによって、前記カップ廃棄用容器に落下させるカップ搬送機構と、
を備えていることを特徴とするカップ式自動販売機のカップ廃棄装置。
【発明の詳細な説明】
【技術分野】
【０００１】
本発明は、ユーザに販売できなかったカップを廃棄するカップ式自動販売機のカップ廃棄装置に関する。
【背景技術】
【０００２】
従来のカップ式自動販売機のカップ廃棄装置として、例えば特許文献１に開示されたものが知られている。この廃棄装置は、販売動作が中止された不販売カップを廃棄するためのものであり、カップ廃棄用容器、およびカップを搬送するためのカップ搬送機構などを有している。カップ搬送機構は、販売指令に応じて販売動作を開始し、カップ供給部から供給されたカップを所定の搬送経路に沿って搬送し、その間にカップ内に原料が供給され、飲料が調理される。そして、飲料入りのカップは、最終的に販売口に搬送され、ユーザに提供される。
【０００３】
一方、このような販売動作の実行中に、停電その他の原因で販売動作が中止された場合には、その後、停電の回復やオペレータのリセット操作に応じて、以下の復帰動作が実行される。すなわち、カップ搬送機構は、販売動作の実行により搬送経路の途中にあるカップを、カップ廃棄用容器の上方のカップ廃棄位置まで搬送し、カップ廃棄位置を通過する際に、その位置に設けられたカップ除去用ロッドによって、不販売カップをカップ廃棄用容器内に落下させる。これにより、不販売カップがカップ廃棄用容器内に廃棄され、カップ搬送機構は、待機状態に復帰する。
【０００４】
また、従来のカップ式自動販売機として、調理された飲料入りのカップを、カップ搬送機構によって後部の開口部を介して販売口内に搬送し、販売口内でカップにストローを投入するものが知られている。この開口部の高さは、カップの高さよりも若干、大きく、また、その上側には、自動販売機の内部が見えないようにするための板材が設けられている。
【０００５】
このような従来のカップ式自動販売機に、上述した従来のカップ廃棄装置を適用した場合、以下のような不具合が発生するおそれがある。すなわち、ユーザの取り忘れなどにより販売口内に放置されたカップを、カップ搬送機構によって販売口から後方に取り出す際に、カップに投入されたストローが開口部の上側の板材に突き当たり、カップが販売口内で転倒するおそれがある。その場合、販売口内にカップが残されるので、そのカップを取り除かない限り、次回以降の販売が不可能になってしまう。また、転倒したカップからこぼれた飲料によって販売口が汚損され、それにより、販売口が不衛生な状態になってしまう。
【０００６】
また、これらの不具合を解消するために、販売口の開口部を、ストロー付きのカップが通過可能なサイズにあらかじめ設定しておくことが考えられる。しかし、その場合、開口部のサイズを従来よりも大きくせざるを得ず、自動販売機の内部の機構が、販売口を通して外部から見えてしまい、自動販売機の外観を損ねる。また、開口部を介して、外部から自動販売機の内部に手や物を入れるなどのいたずらを防止できず、自動販売機の故障の原因になる。
【０００７】
本発明は、以上のような課題を解決するためになされたものであり、ユーザに販売できなかったカップを確実に廃棄することができるカップ式自動販売機のカップ廃棄装置を提供することを目的としている。
【０００８】
【特許文献１】特開２００１−１３４８１５号公報
【発明の開示】
【課題を解決するための手段】
【０００９】
この目的を達成するために、本発明の請求項１に係る発明は、後部の開口部を介して販売口内に搬送され、ストローが投入された後、販売口内に放置されたカップを廃棄するためのカップ式自動販売機のカップ廃棄装置であって、カップが廃棄されるカップ廃棄用容器と、カップを、販売口から開口部を介して後方に搬送し、カップ廃棄用容器に廃棄するためのカップ搬送機構と、販売口の後部に回動自在に設けられ、開口部を開閉するとともに、カップ搬送機構によるカップの搬送時にストローで押圧されることによって後方に開放するフラップと、を備えていることを特徴とする。
【００１０】
このカップ式自動販売機のカップ廃棄装置によれば、販売口内に放置されたストロー入りカップは、カップ搬送機構によって、販売口の後部の開口部を介して後方に搬送され、カップ廃棄用容器に廃棄される。販売口の後部には、フラップが回動自在に設けられており、このフラップは、カップを、カップ搬送機構によって後方へ搬送する際に、ストローで押圧されることによって後方に回動し、開口部を開放する。
【００１１】
以上のように、カップ搬送機構によるカップの搬送時に、フラップが、ストローで押し開かれることにより後方に回動し、開口部を開放するので、カップを、販売口内で転倒させることなく販売口から確実に撤去でき、それにより、次回以降の販売を確実に行うことができる。また、カップの転倒が防止されることにより、転倒したカップからこぼれた飲料で販売口が汚損されるのを防止でき、販売口を衛生的な状態に保つことができる。
【００１２】
請求項２に係る発明は、請求項１に記載のカップ式自動販売機のカップ廃棄装置において、カップ搬送機構によるカップの搬送時を除き、フラップを、開口部を閉じた状態にロックするロック機構をさらに備えていることを特徴とする。
【００１３】
この構成によれば、販売口に設けられたフラップは、カップ搬送機構によるカップの搬送時を除き、ロック機構によって、販売口の開口部を閉じた状態にロックされる。これにより、カップ搬送機構によるカップの搬送時を除き、開口部が、フラップによって常時、閉じた状態に保持されるので、自動販売機の内部が、販売口および開口部を通して外部から見えることがなくなり、自動販売機の外観を良好に維持することができる。また、同じ理由により、販売口および開口部を介して、自動販売機の内部に物や手を入れることができなくなるので、いたずらなどによる自動販売機の故障を防止することができる。
【００１４】
請求項３に係る発明は、ユーザに販売できなかったカップを廃棄するカップ式自動販売機のカップ廃棄装置であって、カップが廃棄されるカップ廃棄用容器と、カップ廃棄用容器の上方に、カップの幅よりも小さな間隔を互いに隔てて近接する待機位置と、カップ落下領域側のカップ離脱位置との間で回動自在に設けられた一対のストッパと、一対のストッパを待機位置側にそれぞれ付勢する一対のばねと、カップ台座を有し、カップが載置されたカップ台座を、カップ落下領域に搬入することにより、カップにより一対のストッパをカップ離脱位置側に押し開かせながら、カップをカップ落下領域内に搬送した後、カップ台座を、カップ落下領域から搬出することにより、カップを、一対のストッパに当接させ、カップ台座から離脱させることによって、カップ廃棄用容器に落下させるカップ搬送機構と、を備えていることを特徴とする。
【００１５】
この構成によれば、ユーザに販売できなかったカップは、カップ搬送機構のカップ台座に載置され、カップ台座は、カップを載置した状態で、カップ落下領域の外側から内側に搬入される。その際、カップは、カップの幅よりも小さな間隔を隔てて近接する、待機位置にある一対のストッパを、カップ落下領域側のカップ離脱位置に押し開きながら、カップ落下領域内に搬送される。その後、一対のストッパは、ばねの付勢力によって、待機位置に復帰する。次いで、カップ台座が、カップ落下領域の内側から外側に搬出され、その際、カップは、ストッパに当接し、カップ台座から離脱することによって、下方のカップ廃棄用容器に落下する。
【００１６】
以上のように、カップ搬送機構のカップ台座を、カップが一対のストッパの間を通るように、カップ落下領域の外と内の間で単純に往復動作させるだけで、カップ台座に載置されたカップを、カップ台座から確実に分離させることができる。それにより、カップを確実に廃棄することができ、その結果、次回以降の販売動作を確実に実行することができる。
【発明を実施するための最良の形態】
【００１７】
以下、図面を参照しながら、本発明の好ましい実施形態を詳細に説明する。図１は、本発明を適用したカップ廃棄装置（以下、単に「廃棄装置」という）１０を含む飲料のカップ式自動販売機（以下、単に「自動販売機」という）１を示している。この自動販売機１は、前面が開口した縦長ボックス状の販売機本体（図示せず）、および販売機本体の前面を開閉するメインドア３を備えている。メインドア３の中央には、ユーザが商品である飲料入りのカップＣを取り出すための販売口４が設けられている。また、この自動販売機１のメインドア３には、通常のカップ式自動販売機と同様に、商品選択ボタン３ａ、金銭投入口３ｂ，３ｃおよびつり銭返却口３ｄなどが設けられている。
【００１８】
図２に示すように、販売口４は、メインドア３側に設けられたドア側部材５、および販売機本体側に設けられた本体側部材６を有している。ドア側部材５は、メインドア３に固定されたドア取付け枠５ａと、このドア取付け枠５ａの上端部から後方に若干、斜め下がりに延びる台形状の天板５ｂと、天板５ｂの左右の端部から下方にドア取付け枠５ａの中央まで延びる左右の側板５ｃ，５ｃとを有している。また、ドア側部材５の後端部には、後述するフラップ１１が設けられている。
【００１９】
本体側部材６は、台形状の底板６ａ、および底板６ａの左右の端部から上方に延びる左右の側板６ｂ，６ｂを有しており、販売機本体に固定された本体側取付け部材７に取り付けられている。図３に示すように、ドア側部材５の左右の側板５ｃ，５ｃ、および本体側部材６の左右の側板６ｂ，６ｂは、メインドア３を閉じたときに、それぞれ上下に並んだ状態になる。この状態では、販売口４は、ドア側部材５と本体側部材６によって、全体としてボックス状に形成され、その内部に、カップＣを収容可能な広さの空間が形成されている。
【００２０】
また、ドア側部材５のドア取付け枠５ａの開口は、販売口４の取出し口４ａになっており、ユーザは、取出し口４ａを介して販売口４からカップＣを取り出すことができる。また、ドア側部材５の天板５ｂおよび側板５ｃ，５ｃの後端部と、本体側部材６の底板６ａおよび側板６ｂ，６ｂの後端部によって囲まれた部分が、開口部４ｂになっている。また、ドア側部材５の天板５ｂの中央には、天板開口部５ｄが形成されており、この天板開口部５ｄの上方には、ストロー供給部（図示せず）が設けられている。図４に示すように、このストロー供給部と天板開口部５ｄの間には、ストロー用シュート８が設けられており、飲料の販売時に、ストロー供給部から供給されたストローＳが、このストロー用シュート８を介して、販売口４に搬送された飲料入りのカップＣに投入される。
【００２１】
また、販売口４のすぐ前方には、自動ドア（図示せず）が設けられている。この自動ドアは、通常は、販売口４の取出し口４ａを覆うように閉じており、販売時には、ユーザが飲料入りカップＣを販売口４から取り出すことができるよう、自動的に開くように構成されている。
【００２２】
廃棄装置１０は、販売口４の後部に設けられたフラップ１１と、販売口４の下方に設けられたカップ廃棄用容器１２と、フラップ１１をロックするためのロック機構１３と、販売口４の側方に設けられたカップ廃棄部１４と、カップＣを搬送するためのカップ搬送機構１８とを備えている。
【００２３】
図２に示すように、ドア側部材５の天板５ｂの後端部付近には、左右の側板５ｃ，５ｃの後ろ側の上端部の間を左右方向に延びる軸１１ａが水平に取り付けられており、フラップ１１は、その上端部において、この軸１１ａに回動自在に取り付けられている。また、フラップ１１は、横長の平板状に形成されており、軸１１ａを中心として回動することにより、販売口４の開口部４ｂを開閉する。また、ドア側部材５の側板５ｃ，５ｃの後端部のフラップ１１よりも前側には、上下方向に延びるストッパ５ｅ，５ｅがそれぞれ設けられており、これらのストッパ５ｅ，５ｅにより、販売口４の内側へのフラップ１１の回動が阻止される。それにより、フラップ１１は、図６に実線で示す閉鎖位置と、二点鎖線で示す開放位置の間で回動自在になっており、自動販売機１が待機状態のときには、フラップ１１は、閉鎖位置に位置し、開口部４ｂの上部を覆っている。また、フラップ１１の上下方向の長さは、閉鎖位置における開口部４ｂの下端とフラップ１１の下端との間の間隔が、カップＣおよび後述するカップ台座１９ｂの全体の高さよりも若干、大きくなるように設定されている。
【００２４】
図７に示すように、ロック機構１３は、本体側取付け部材７に、開口部４ｂに隣接するように設けられており、ソレノイド１３ｂと、そのプランジャ（図示せず）に連結され、左右方向にスライドするスライド部材１３ａとを有している。スライド部材１３ａは、先端部が、フラップ１１の右端部と前後方向にオーバラップするロック位置と、フラップ１１の右方に退避するロック解除位置との間でスライド自在になっており、例えばばね（図示せず）によって、ロック位置側に付勢されている。ソレノイド１３ｂの動作は、これに接続された制御装置（図示せず）によって制御される。
【００２５】
具体的には、通常のソレノイド１３ｂが非励磁状態のときには、スライド部材１３ａは、ばねの付勢力によってロック位置に保持される。これにより、フラップ１１は、前述したストッパ５ｅおよびスライド部材１３ａの間で閉鎖位置に位置し、回動不可能なロック状態に保持される。一方、ソレノイド１３ｂが励磁されると、スライド部材１３ａが、プランジャによりロック解除位置側に移動することによって、フラップ１１のロック状態が解除される。それにより、フラップ１１は、開放位置側に回動可能な状態になる。
【００２６】
カップ廃棄用容器１２は、例えば合成樹脂によって、上面全体が開放した横長のボックス状に形成されている。また、カップ廃棄部１４は、販売口４の左方に隣接して設けられており、上側のカップ分離部１５、および下側のシュート１７を有している。カップ分離部１５は、前側および左右の壁部１５ａを有し、背面が開放している。左右の壁部１５ａ，１５ａの後端部は、内側に折り曲げられており、それらの部分には、カップＣをカップ搬送機構１８から分離するためのストッパ１６ｂ，１６ｂがそれぞれ設けられている。
【００２７】
図７および８に示すように、壁部１５ａには、基部１６ｆがねじ１４ａで固定され、基部１６ｆに設けられた鉛直に延びるピン１６ａに、ストッパ１６ｂが、互いに近接して回動自在に取り付けられている。各ストッパ１６ｂは、図７に実線で示す待機位置と破線で示すカップ離脱位置の間で回動自在になっていおり、ピン１６ａに取り付けたばね１６ｃによって、待機位置側に付勢されている。また、ストッパ１６ｂは、鉛直に延びる内側の平板部１６ｄと、その外側に連なる回動阻止部１６ｅを有しており、通常は、ばね１６ｃによって付勢された回動阻止部１６ｅが、基部１６ｆに当接することによって、後方へのそれ以上の回動を阻止された状態で、待機位置に保持されている。また、この待機位置においては、左右の平板部１６ｄ，１６ｄの間の間隔は、カップＣの幅よりも若干、小さい。また、カップ分離部１５の壁部１５ａに囲まれた部分のうち、ストッパ１６ｂ，１６ｂの前側の空間が、後述するようにカップＣが落下するカップ落下領域になっている。
【００２８】
シュート１７は、カップ分離部１５の壁部１５ａの下端部に取り付けられており、カップ廃棄用容器１２の近くまで下方に延びている。また、シュート１７は、四角形状の断面を有するとともに、筒状に形成されている。また、シュート１７は、断面のサイズが、下方に向かって小さくなるようにテーパ状に形成されている。
【００２９】
カップ搬送機構１８は、カップＣを保持するためのカップ保持部１９と、このカップ保持部１９を、前後左右および上下の３方向に移動させるための駆動機構２０とを有している。駆動機構２０の動作は、制御装置によって制御され、それにより、カップ保持部１９を、所定の搬送経路に沿って任意の位置に移動させることができる。
【００３０】
カップ保持部１９は、基部１９ａと、その下端部から前方に突出するカップ台座１９ｂと、基部１９ａの上端部から前方に、緩やかに湾曲するように延びる左右一対のカップ保持アーム１９ｃ，１９ｃを有している。また、左右のカップ保持アーム１９ｃ，１９ｃは、基部１９ａに、鉛直軸線回りに回動自在に取り付けられており、比較的弱いばね力を有するばね（図示せず）によって、互いに近づく方向に付勢されている。
【００３１】
次いで、上述した自動販売機１の飲料の販売動作と、廃棄装置１０によるカップＣの廃棄動作について説明する。販売動作は、ユーザが、商品選択ボタン３ａを押すことによって開始される。販売動作が開始されると、まず、カップ搬送機構１８により、カップ保持部１９が所定の位置に駆動され、空のカップＣが、カップ供給部（図示せず）からカップ保持部１９に供給される。それにより、カップＣは、カップ台座１９ｂに載置されるとともに、左右のカップ保持アーム１９ｃ，１９ｃ間に保持される。次いで、カップＣは、所定の搬送経路に沿って搬送され、その間に原料が供給される。そして、カップＣは、その内部で飲料が調理された後、販売口４の後方に搬送される。
【００３２】
次いで、カップ保持部１９は、これに保持された飲料入りのカップＣとともに前方に駆動され、開口部４ｂを介して販売口４内に搬送される。その際、前述したように、開口部４ｂの下端とフラップ１１の下端の間の間隔が、カップＣおよびカップ台座１９ｂの全体の高さよりも若干、大きいことにより、カップＣは、フラップ１１に突き当たることなく販売口４内に進入する。そして、販売口４内において、ストローＳが、上方のストロー用シュート８を介してストロー供給部から供給され、飲料入りのカップＣに投入される。そして、自動ドアが開くことによって、飲料およびストローＳ入りのカップＣが、ユーザに提供される。そして、ユーザが、カップＣを取出し口４ａを介して取り出すことによって、飲料の販売が完了し、その後、自動ドアが閉じるとともに、カップ搬送機構１８が待機状態に復帰する。
【００３３】
一方、ユーザの取り忘れなどによって、カップＣが販売口４内に放置された場合、次回の販売を行えるようにするために、カップＣの廃棄動作が実行される。この廃棄動作は、例えば、カップＣの放置時間が所定時間を超えたときに実行される。
【００３４】
この廃棄動作では、まず、自動ドアが閉じられるとともに、ロック機構１３のソレノイド１３ｂが励磁される。それにより、スライド部１３ａが、ばねの付勢力に抗してロック解除位置にスライドすることによって、フラップ１１のロックが解除され、フラップ１１が回動可能な状態になる。次いで、カップ搬送機構１８により、飲料およびストローＳ入りのカップＣが、図７に一点鎖線で示すカップＣの搬送経路に沿って搬送される。
【００３５】
まず、カップ保持部１９が、これに保持されたままの飲料入りのカップＣとともに搬送経路の点Ａから点Ｂに後方へ搬送され、その途中で、カップＣから突き出たストローＳが、ロックを解除されたフラップ１１を押圧する。これにより、フラップ１１が押し開かれることによって後方に回動し、開口部４ｂを開放するので、ストローＳ入りのカップＣは、販売口４内で転倒することなく外部に搬送される。
【００３６】
カップ保持部１９が販売口４の外に搬送された後、フラップ１１は、自重で開口部４ｂの上部を覆う閉鎖位置に復帰回動するとともに、ソレノイド１３ｂの励磁が停止され、スライド部材１３ａがばねの付勢力により、ロック位置にスライドすることによって、再度、閉鎖位置にロックされる。
【００３７】
次いで、カップ保持部１９は、カップ廃棄部１４の後方まで左方に搬送され（搬送経路の点Ｂ〜点Ｃ）、さらに、前方に搬送されることにより、カップ分離部１５の内部のカップ落下領域に搬入される（搬送経路の点Ｃ〜点Ｄ）。その際、カップＣは、左右一対のストッパ１６ｂ，１６ｂの平板部１６ｄ，１６ｄに当接し、これらを押圧することによって、両ストッパ１６ｂ，１６ｂを、ばね１６ｃ，１６ｃの付勢力に抗してカップ落下領域側に押し広げながら、前方に移動し、カップ落下領域に進入する。そして、カップＣが、ストッパ１６ｂ，１６ｂのカップ離脱位置において各ストッパ１６ｂから外れることによって、各ストッパ１６ｂは、ばね１６ｃの付勢力によって待機位置に復帰する。カップＣは、シュート１７の上方のカップ落下領域内まで移動したときに、一旦、停止する。
【００３８】
次いで、カップ搬送機構１８により、カップ保持部１９が、カップ落下領域から搬出される。その際、カップＣは、待機位置に復帰している両ストッパ１６ｂ，１６ｂに当接する。前述したように、ストッパ１６ｂは、待機位置よりも後方に回動することができないので、カップＣは、それ以上、後方に移動することができず、カップ保持部１９は、カップＣを残したまま、後方に移動する。カップ保持部１９から分離されたカップＣは、シュート１７を通って落下し、その下端からカップ廃棄用容器１２に廃棄される。その後、カップ搬送機構１８が待機状態に復帰することによって、カップＣの廃棄動作が終了し、自動販売機１は、次回の販売動作を実行可能な状態に復帰する。
【００３９】
以上のように、本実施形態の廃棄装置１０によれば、カップ搬送機構１８によるカップＣの搬送時に、フラップ１１が、ストローＳで押し開かれることにより後方に回動し、開口部４ｂを開放するので、カップＣを、販売口４内で転倒させることなく販売口４から確実に撤去でき、それにより、次回以降の販売を確実に行うことができる。また、カップＣの転倒が防止されることにより、転倒したカップＣからこぼれた飲料で販売口４が汚損されるのを防止でき、販売口４を衛生的な状態に保つことができる。
【００４０】
また、販売口４に設けられたフラップ１１は、カップ搬送機構１８によるカップＣの搬送時を除き、ロック機構１３によって、販売口４の開口部４ｂを閉じた状態にロックされる。これにより、カップ搬送機構１８によるカップＣの廃棄時を除き、開口部４ｂが、フラップ１１によって常時、閉じた状態に保持されるので、自動販売機１の内部が、販売口４を通して外部から見えることがなくなり、自動販売機１の外観を良好に維持することができる。また、同じ理由により、販売口４および開口部４ｂを介して、自動販売機１の内部に物や手を入れることができなくなるので、いたずらなどによる自動販売機１の故障を防止することができる。
【００４１】
また、カップ搬送機構１８のカップ台座１９ｂを、カップＣが一対のストッパ１６ｂの間を通るように、カップ分離部１５内のカップ落下領域の外と内の間で単純に往復動作させるだけで、カップ台座１９ｂに載置されたカップＣを、カップ台座１９ｂから確実に分離させることができる。それにより、カップＣを確実に廃棄することができ、その結果、自動販売機１は、次回以降の販売動作を確実に実行することができる。
【００４２】
なお、本発明は、上述した実施形態に限定されることなく、種々の態様で実施することができる。例えば、上述した実施形態では、フラップ１１のロック機構として、スライド部材１３ａおよびソレノイド１３ｂなどを用いているが、これに限定されることなく、他の適当なロック機構を用いてもよい。その他、本発明の趣旨の範囲内で、細部の構成を適宜、変更することが可能である。
【図面の簡単な説明】
【００４３】
【図１】本発明によるカップ廃棄装置を含む飲料のカップ式自動販売機を示す正面図である。
【図２】図１の自動販売機の販売口を、ドア側部材および本体側部材に分離した状態で斜め後方から示す斜視図である。
【図３】図１の自動販売機のメインドアが閉じたときの販売口を、斜め後方から示す斜視図である。
【図４】自動販売機のカップ廃棄装置を示す正面図である。
【図５】図４のカップ廃棄装置を斜め後方から示す斜視図である。
【図６】販売口を、その内部に搬送されたカップとともに示す部分拡大断面図である。
【図７】カップ廃棄装置を示す平面図である。
【図８】図７のストッパおよびその付近を示す部分拡大平面図である。
【符号の説明】
【００４４】
１      カップ式自動販売機
４      販売口
４ｂ    開口部
１０      カップ廃棄装置
１１      フラップ
１２      カップ廃棄用容器
１３      ロック機構
１８      カップ搬送機構
１９ｂ    カップ台座
Ｃ      カップ
Ｓ      ストロー
【図１】
0004816005.tif 000002
【図２】
0004816005.tif 000003
【図３】
0004816005.tif 000004
【図４】
0004816005.tif 000005
【図５】
0004816005.tif 000006
【図６】
0004816005.tif 000007
【図７】
0004816005.tif 000008
【図８】
0004816005.tif 000009